(57)【要約】【課題】ブシュとピンの遊嵌部分に潤滑油を十分に導入することができるとともに、内リンクプレートのブシュ圧入孔にブシュを圧入嵌着した際の固着力が低下することなく、かつ、ブシュの取付方向に制限がなく組立の容易なチェーンを提供すること。【解決手段】内リンクプレート１１０と外リンクプレート１２０とが交互に多数連結されているチェーン１００において、ブシュ１１２が、内リンクプレート１１１のピン圧入孔１１３の直近であって該ピン圧入孔１１３に埋没しない位置に内周面から外周面に貫通する油導入孔１１５を有していること。【選択図】図２
2009275866.tif 000002
【特許請求の範囲】
【請求項１】
前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、
前記ブシュが、前記内リンクプレートのピン圧入孔の直近であって該ピン圧入孔に埋没しない位置に内周面から外周面に貫通する油導入孔を有していることを特徴とするチェーン。
【請求項２】
前記油導入孔が、前記左右一対の内リンクプレートの直近にそれぞれ設けられるとともに、前記ブシュの外周に遊嵌されるローラと前記内リンクプレートの間隙に少なくとも一部が開口する位置に設けられていることを特徴とする請求項１に記載のチェーン。
【請求項３】
前記ブシュが、板状部材を円筒状に巻き加工して形成されており、
前記油導入孔が、巻き加工前の板状部材の両端部に設けられた半円状溝を付き合わされて形成されたものを含むことを特徴とする請求項１または請求項２に記載のチェーン。
【請求項４】
前記油導入孔が、その外周側端部にロート状に拡径したロート状部を有することを特徴とする請求項１乃至請求項３のいずれかに記載のチェーン。
【請求項５】
前記油導入孔が、外周側端部が前記ブシュの円筒端部に近く内周側端部が前記ブシュの円筒端部から遠くなるように傾斜して設けられていることを特徴とする請求項１乃至請求項４のいずれかに記載のチェーン。
【発明の詳細な説明】
【技術分野】
【０００１】
本発明は、自動車、産業用機械等の動力伝達機構あるいは搬送機構などに用いられるチェーンに関するものであって、特に、内リンクプレートと外リンクプレートとがブシュとピンにより交互に多数連結されているチェーンに関するものである。
【背景技術】
【０００２】
従来、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンは周知である。
【０００３】
また、ブシュとピンの遊嵌部分に潤滑油を導入してチェーンの屈曲を円滑にするものも周知であり、潤滑油をより有効に導入するためにブシュに油導入孔を設けたチェーンが公知である。
【０００４】
この公知のチェーンのブシュ５１２は、図７に示すように、ブシュ５１２の中央部に内周面から外周面に貫通する油導入孔５１５を有している（例えば、特許文献１参照。）。
【０００５】
また、他の公知のチェーンのブシュ６１２は、図８に示すように、ブシュ６１２の両端部に端面方向から切欠き部６１６が設けられ、ブシュ６１２が内リンクプレート６１１のブシュ圧入孔６１３に圧入嵌着されて油導入孔６１５を形成している（例えば、特許文献１参照。）。
【特許文献１】特開平１０−２３８５９８号公報（第３頁、第４頁、図５、図６）
【発明の開示】
【発明が解決しようとする課題】
【０００６】
しかしながら、前記公知のチェーンのブシュ５１２は、油導入孔５１５が中央部に設けられているため、ブシュ外周にローラが遊嵌されるローラチェーンの場合、油導入孔５１５がローラに覆われてしまい、油導入孔５１５に十分に油を導入することが出来ないという問題があった。
【０００７】
さらに、ローラを有さないブシュチェーンの場合は、油導入孔５１５が中央部に設けられているため、ブシュ５１５の内リンクプレートへの圧入時に油導入孔５１５の方向によってはスプロケットとの接触部に位置して騒音や振動の発生原因となるため、ブシュ５１５の方向を揃えなければならず組立工程が複雑になるという問題があった。
【０００８】
また、前記別の公知のチェーンのブシュ６１２は、ブシュ６１２の両端部に端面方向から設けられた切欠き部６１６によって、内リンクプレート６１１のブシュ圧入孔６１３にブシュ６１２を圧入嵌着した際の固着力が低下してしまうという問題があった。
【０００９】
本発明は、前述したような従来技術の問題を解決するものであって、すなわち、本発明の目的は、ブシュ外周にローラが遊嵌されるローラチェーンでもブシュとピンの遊嵌部分に潤滑油を十分に導入することができるとともに、内リンクプレートのブシュ圧入孔にブシュを圧入嵌着した際の固着力が低下することなく、かつ、ブシュの取付方向に制限がなく組立の容易なチェーンを提供することである。
【課題を解決するための手段】
【００１０】
本請求項１に係る発明は、前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、前記ブシュが、前記内リンクプレートのピン圧入孔の直近であって該ピン圧入孔に埋没しない位置に内周面から外周面に貫通する油導入孔を有していることにより、前記課題を解決するものである。
【００１１】
本請求項２に係る発明は、請求項１に記載されたチェーンの構成に加えて、前記油導入孔が、前記左右一対の内リンクプレートの直近にそれぞれ設けられるとともに、前記ブシュの外周に遊嵌されるローラと前記内リンクプレートの間隙に少なくとも一部が開口する位置に設けられていることにより、前記課題をさらに解決するものである。
【００１２】
本請求項３に係る発明は、請求項１または請求項２に記載されたチェーンの構成に加えて、前記ブシュが、板状部材を円筒状に巻き加工して形成されており、前記油導入孔が、巻き加工前の板状部材の両端部に設けられた半円状溝を付き合わされて形成されたものを含むことにより、前記課題をさらに解決するものである。
【００１３】
本請求項４に係る発明は、請求項１乃至請求項３のいずれかに記載されたチェーンの構成に加えて、前記油導入孔が、その外周側端部にロート状に拡径したロート状部を有することにより、前記課題をさらに解決するものである。
【００１４】
本請求項５に係る発明は、請求項１乃至請求項４のいずれかに記載されたチェーンの構成に加えて、前記油導入孔が、外周側端部が前記ブシュの円筒端部に近く内周側端部が前記ブシュの円筒端部から遠くなるように傾斜して設けられていることにより、前記課題をさらに解決するものである。
【発明の効果】
【００１５】
本請求項１に係る発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、ブシュが、内リンクプレートのピン圧入孔の直近であって該ピン圧入孔に埋没しない位置に内周面から外周面に貫通する油導入孔を有していることにより、ブシュ外周にローラが遊嵌されるローラチェーンの場合でもブシュの外周に遊嵌されるローラと内リンクプレートの間隙に油導入孔を望ませることができ、ブシュとピンの遊嵌部分に潤滑油を十分に導入することができるとともに、ローラを有さないブシュチェーンの場合でも油導入孔がスプロケットと接触しない位置にあるためブシュの取付方向に制限がなく組立が容易であり、さらに、内リンクプレートのブシュ圧入孔にブシュを圧入嵌着した際に圧入部に油導入孔は存在しないため固着力が低下することがないチェーンを提供することができる。
【００１６】
また、本請求項２に係る発明のチェーンは、請求項１に係るチェーンが奏する効果に加えて、油導入孔が、左右一対の内リンクプレートの直近にそれぞれ設けられるとともに、ブシュの外周に遊嵌されるローラと内リンクプレートの間隙に少なくとも一部が開口する位置に設けられていることにより、ブシュ外周にローラが遊嵌されるローラチェーンの場合で、ローラが左右一対の内リンクプレートの一方に偏り間隙が小さくなっても、他方の間隙が大きくなることで常にローラと内リンクプレートの間隙に油導入孔を望ませることができ、ブシュとピンの遊嵌部分に潤滑油を十分に導入することができることができる。
【００１７】
本請求項３に係る発明のチェーンは、請求項１または請求項２に係るチェーンが奏する効果に加えて、ブシュが、板状部材を円筒状に巻き加工して形成されており、油導入孔が、巻き加工前の板状部材の両端部に設けられた半円状溝を付き合わされて形成されたものを含むことにより、ブシュを容易に精度よく形成することができるため、さらに油導入孔を通じてブシュとピンの遊嵌部分に潤滑油を十分に導入することができる。
【００１８】
本請求項４に係る発明のチェーンは、請求項１乃至請求項３のいずれかに係るチェーンが奏する効果に加えて、油導入孔が、その外周側端部にロート状に拡径したロート状部を有することにより、さらに、ブシュとピンの遊嵌部分に潤滑油を十分に導入することができる。
【００１９】
本請求項５に係る発明のチェーンは、請求項１乃至請求項４のいずれかに係るチェーンが奏する効果に加えて、油導入孔が、外周側端部がブシュの円筒端部に近く内周側端部がブシュの円筒端部から遠くなるように傾斜して設けられていることにより、さらに、ブシュとピンの遊嵌部分の中央部分に潤滑油を十分に導入することができる。
【発明を実施するための最良の形態】
【００２０】
本発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、ブシュが、内リンクプレートのピン圧入孔の直近であって該ピン圧入孔に埋没しない位置に内周面から外周面に貫通する油導入孔を有し、ブシュ外周にローラが遊嵌されるローラチェーンでもブシュとピンの遊嵌部分に潤滑油を十分に導入することができるとともに、内リンクプレートのブシュ圧入孔にブシュを圧入嵌着した際の固着力が低下することなく、かつ、ブシュの取付方向に制限がなく組立の容易なチェーンを提供することができるという効果を奏するものであれば、その具体的な実施態様は如何なるものであっても何ら構わない。
【００２１】
すなわち、本発明のチェーンは、エンジンの動弁系やオイルポンプなどの補機等の従動軸を駆動するものであっても、他の動力伝達機構や搬送機構において使用されるものであっても良く、いかなる機構で使用されるものであっても良い。
また、本発明のチェーンは、ローラチェーンであっても良く、ブシュチェーンであっても良い。
【実施例】
【００２２】
以下に、本発明の実施例であるチェーンについて、図面に基づいて説明する。
図１は、本発明の実施例であるチェーンの斜視図であり、図２は、本発明の一実施例であるチェーンの断面図であり、図３は、本発明の一実施例であるチェーンの走行方向から見た正面図であり、図４は、本発明の一実施例であるチェーンのブシュの製造工程説明図であり、図５は、本発明の別の実施例であるチェーンの断面図であり、図６は、本発明のさらに他の実施例であるチェーンの断面図である。
【００２３】
本発明の実施例であるチェーン１００は、図１、図２に示すように、内リンク１１０と外リンク１２０が交互に多数連結されて構成されており、内リンク１１０は、それぞれ前後一対のブシュ圧入孔１１３を有する左右一対の内リンクプレート１１１と、該一対の内リンクプレート１１１のブシュ圧入孔１１３に両端部がそれぞれ嵌着固定された２本の円筒状のブシュ１１２と、両ブシュ１１２に回転自在に外嵌されたローラ１１４で構成される。
【００２４】
外リンク１２０は、それぞれ前後一対のピン圧入孔１２３を有する左右一対の外リンクプレート１２１と、該一対の外リンクプレート１２１のピン圧入孔１２３に両端部がそれぞれ嵌着固定された２本のピン１２２で構成される。
内リンク１１０と外リンク１２０が、円筒状のブシュ１１２内にピン１２２が回転自在に遊嵌されることで交互に多数連結され、チェーン１２０が構成されている。
【００２５】
次に、本発明の一実施例であるチェーンのブシュ１１２について説明する。
ブシュ１１２は、図２及び図３に示すように、左右一対の内リンクプレート１１１のピン圧入孔１１３の直近であって該ピン圧入孔１１３に埋没しない位置にそれぞれ内周面から外周面に貫通する油導入孔１１５を有している。
【００２６】
そして、ブシュ１１２の外周にはローラ１１４が左右一対の内リンクプレート１１１との間にそれぞれ間隙を有して遊嵌されており、油導入孔１１５はそれぞれの間隙に少なくとも一部が開口する位置に設けられている。
【００２７】
このことにより、内リンクプレート１１１のブシュ圧入孔１１３にブシュ１１２を圧入嵌着した際に圧入部に油導入孔１１５は存在しないため固着力が低下することがなく、ローラ１１４が左右一対の内リンクプレート１１１の一方（図面上、あるいは下方向）に偏って間隙が小さくなっても、他方の間隙が大きくなることで常にローラ１１４と内リンクプレート１１１の間隙に油導入孔１１５を望ませることができ、ブシュ１１２とピン１２２の遊嵌部分に潤滑油を十分に導入することができることができる。
【００２８】
また、ローラ１１４を有さないブシュチェーンの場合でも、油導入孔１１５が左右一対の内リンクプレート１１１の近傍にあってスプロケットと接触する中央部には存在せず、油導入孔１１５がいずれの方向に向いていてもスプロケットと接触することがないため、ブシュ１１２の取付方向に制限はない。
【００２９】
次に、本発明の一実施例であるチェーンのブシュ１１２の製造工程について、図４に基づき説明する。
まず、板状部材（図４（ａ））に、所定の間隔でドリル加工やプレス加工により孔加工を施し（図４（ｂ））、該孔加工された板状部材を孔の中心線の位置で切断して、両端が半円状の溝を有する短冊板状部材を得る（図４（ｃ））。
そして、該短冊板状部材の両端の半円状の溝を合致させるように、円筒状に巻き加工し円筒状のブシュ１１２を得る（図４（ｄ））。
このように、先に孔加工を平板に施した後に巻き加工によって円筒を得ることにより、任意の個数の孔加工を容易に行うことができるとともに、円筒形状のブシュの真円度が孔加工によって低下すること防止することができる。
【００３０】
次に、本発明の別の実施例であるチェーンのブシュ２１２について説明する。
ブシュ２１２は、図５に示すように、左右一対の内リンクプレート２１１のピン圧入孔２１３の直近であって該ピン圧入孔２１３に埋没しない位置にそれぞれ内周面から外周面に貫通する油導入孔２１５を有している。
【００３１】
そして、ブシュ２１２の外周にはローラ２１４が左右一対の内リンクプレート２１１との間にそれぞれ間隙を有して遊嵌されており、油導入孔２１５はそれぞれの間隙に少なくとも一部が開口する位置に設けられているとともに、その外周側端部にロート状に拡径したロート状部２１６を有している。
このことにより、さらに、ブシュ２１２とピンの遊嵌部分に潤滑油を十分に導入することができる。
【００３２】
次に、本発明のさらに他の実施例であるチェーンのブシュ３１２について説明する。
ブシュ３１２は、図６に示すように、左右一対の内リンクプレート３１１のピン圧入孔３１３の直近であって該ピン圧入孔３１３に埋没しない位置にそれぞれ内周面から外周面に貫通する油導入孔３１５を有している。
【００３３】
そして、ブシュ３１２の外周にはローラ３１４が左右一対の内リンクプレート３１１との間にそれぞれ間隙を有して遊嵌されており、油導入孔３１５はそれぞれの間隙に少なくとも一部が開口する位置に設けられているとともに、外周側端部がブシュ３１２の円筒端部に近く内周側端部がブシュ３１２の円筒端部から遠くなるように傾斜して設けられている。
このことにより、ブシュ３１２とピンの遊嵌部分の最も潤滑油が導入しにくい中央部により近い位置に潤滑油を十分に導入することができる。
【００３４】
以上説明したように、本発明によれば、ブシュ外周にローラが遊嵌されるローラチェーンでもブシュとピンの遊嵌部分に潤滑油を十分に導入することができるとともに、内リンクプレートのブシュ圧入孔にブシュを圧入嵌着した際の固着力が低下することなく、かつ、ブシュの取付方向に制限がなく組立の容易なチェーンを提供することができるなど、その効果は甚大である。
【００３５】
なお、本発明のチェーンのブシュの油導入孔は上記実施例では左右一対の内リンクプレート近辺にそれぞれ２個所ずつ設けているが、それぞれ１個所でも良く、３個所以上設けても良い。また、油導入溝の直径も如何なる直径でも良い。
【図面の簡単な説明】
【００３６】
【図１】本発明の実施例であるチェーンの斜視図。
【図２】本発明の一実施例であるチェーンの断面図。
【図３】本発明の一実施例であるチェーンの走行方向から見た正面図。
【図４】本発明の一実施例であるチェーンのブシュの製造工程説明図。
【図５】本発明の別の実施例であるチェーンの断面図。
【図６】本発明のさらに他の実施例であるチェーンの断面図。
【図７】従来のチェーンのブシュの斜視図。
【図８】従来の他のチェーンのブシュの斜視図。
【符号の説明】
【００３７】
１００                                  ・・・チェーン
１１０，                                ・・・内リンク
１１１，２１１，３１１，        ６１１  ・・・内リンクプレート
１１２，２１２，３１２，５１２，６１２  ・・・ブシュ
１１３，２１３，３１３，        ６１３  ・・・ブシュ圧入孔
１１４，２１４，３１４                  ・・・ローラ
１１５，２１５，３１５，５１５，６１５  ・・・油導入孔
２１６                          ・・・ロート状部
１２０，                                ・・・外リンク
１２１，                                ・・・外リンクプレート
１２２，                                ・・・ピン
１２３，                                ・・・ピン圧入孔
【図１】
2009275866.tif 000003
【図２】
2009275866.tif 000004
【図３】
2009275866.tif 000005
【図４】
2009275866.tif 000006
【図５】
2009275866.tif 000007
【図６】
2009275866.tif 000008
【図７】
2009275866.tif 000009
【図８】
2009275866.tif 000010